(57)【特許請求の範囲】
【請求項１】
竹竿を並べた外観を有する合成樹脂製パネル本体を、横桟と縦桟により組まれた枠体に固定してパネルユニットを構成し、
１段または複数段重ねられたパネルユニットの最上部の上桟に、笠竹取付け用のブラケットを設け、
断面形状が半円弧状をなす前記笠竹の内面に設けた係止手段を、前記ブラケットに弾発的に嵌合し係止して前記笠竹を前記上桟に取り付け、
前記笠竹と前記パネル本体との間を閉塞する断面形状が半円弧状の押え竹を有し、
該押え竹を取り付ける取付片を、前記ブラケットに一体に形成した
ことを特徴とする合成樹脂製竹垣。
【請求項２】
請求項１に記載の合成樹脂製竹垣において、
前記笠竹に設けた係止手段を、上桟より短い合成樹脂製成形体により構成すると共に、
前記ブラケットに設けた突片に係止させる係止溝を前記成形体の側面に横方向に成形体の全長にわたって形成し、
該成形体を笠竹にねじにより着脱自在に取り付けた
ことを特徴とする合成樹脂製竹垣。
【請求項３】
請求項１または２に記載の合成樹脂製竹垣において、
複数のパネルユニットが上下に重ねられた構造を有し、
下側のパネルユニットの上桟と上側のパネルユニットの下桟との結合用ブラケットに、前記笠竹取付用ブラケットを兼用した
ことを特徴とする合成樹脂製竹垣。
【請求項４】
請求項１から３までのいずれかに記載の合成樹脂製竹垣において、
前記竹竿を並べた外観を有する合成樹脂製パネル本体を、横桟と縦桟により組まれた枠体に固定してパネルユニットを構成したフリーポール型の合成樹脂製竹垣とし、
前記竹垣端部を覆う断面形状が円弧状の端部カバーを備えると共に、
前記端部カバーに設けた係止手段を前記縦桟側に設けたブラケットに弾発的に係止させて前記端部カバーを前記縦桟に取り付けた
ことを特徴とする合成樹脂製竹垣。
【発明の詳細な説明】
【０００１】
【発明の属する技術分野】
本発明は、竹竿を並べた外観を有する合成樹脂製パネル本体を、横桟と縦桟により組まれた枠体に固定してパネルユニットを構成し、該パネルユニットを支柱に固定してなる合成樹脂製竹垣に係り、特に笠竹や端部カバーの取付構造に関する。
【０００２】
【従来の技術】
料亭や庭園等には、日本的雰囲気をかもし出すために、竹垣が設置されることがあり、近年においては、この竹垣を合成樹脂製の材料で作製することが多い。このような竹垣として、特開平１−２７５８７５号公報においては、竹垣を構成する竹竿を１本ずつ用意するのではなく、複数本の竹竿を並べた外観を呈する合成樹脂製のパネル本体を作製し、該パネル本体をアルミニウム合金製押出形材等に固定してパネルを構成し、該パネルを現場で支柱に取付けることにより、施工の省力化を図ったものが提案されている。
【０００３】
本発明者等はこのような合成樹脂製竹垣において、パネルユニットの側面の押え竹や、上桟の上面の笠竹をねじにより取り付ける場合のねじ込み度合の不揃いによる外観の低下を防止するため、ねじより短いパイプを用い、笠竹に貫通させたねじをパイプに通し、該パイプによりねじ込み深さを規制して笠竹を枠体に固定する構造を開発し、特願平９−１００５３号として提案した。
【０００４】
【発明が解決しようとする課題】
この先願の構造によると、パイプにより笠竹の位置を自動的に規制することができ、ねじ込みすぎにより笠竹に変形を生じて外観が低下することを回避することができ、かつ笠竹が堅固に固定されるという効果が得られるものの、笠竹を取り付けるため、片手でパイプを掴んで他方の手でドライバを回すことにより笠竹を枠体に固定する必要があるため、作業性が悪いという問題点があった。また、竹垣の端部を覆う端部カバーの取付にも同様の問題があった。
【０００５】
本発明は、上記した笠竹等の取付構造を改良し、笠竹等の取付作業性が改善された合成樹脂製竹垣を提供することを目的とする。また、本発明は、笠竹等の取り外しが可能な合成樹脂製竹垣を提供することを目的とする。また、本発明は、押え竹の位置規制機能も兼有するブラケットを備えた合成樹脂製竹垣を提供することを目的とする。さらに本発明は、笠竹等の取付手段を上下のパネルユニットの結合にも兼用できる構造の合成樹脂製竹垣を提供することを目的とする。
【０００６】
【課題を解決するための手段】
（１）請求項１の発明は、竹竿を並べた外観を有する合成樹脂製パネル本体を、横桟と縦桟により組まれた枠体に固定してパネルユニットを構成し、
１段または複数段重ねられたパネルユニットの最上部の上桟に、笠竹取付け用のブラケットを設け、
断面形状が半円弧状をなす前記笠竹の内面に設けた係止手段を、前記ブラケットに弾発的に嵌合し係止して前記笠竹を前記上桟に取り付け、
前記笠竹と前記パネル本体との間を閉塞する断面形状が半円弧状の押え竹を有し、
該押え竹を取り付ける取付片を、前記ブラケットに一体に形成した
ことを特徴とする。
【０００７】
請求項１の発明によれば、ねじを用いず、笠竹を上桟に押しつけるたけで笠竹の取り付けが可能である。また、ブラケットに押え竹の取付片を形成したので、笠竹取付用ブラケットを押え竹の取り付けにも用いることができる。
【０００８】
（２）請求項２の発明は、請求項１に記載の合成樹脂製竹垣において、前記笠竹に設けた係止手段を、上桟より短い合成樹脂製成形体により構成すると共に、
前記ブラケットに設けた突片に係止させる係止溝を前記成形体の側面に横方向に成形体の全長にわたって形成し、
該成形体を笠竹にねじにより着脱自在に取り付けた
ことを特徴とする。
【０００９】
請求項２の発明によれば、ねじを弛めて笠竹を成形体から外した後、成形体をブラケットに対してスライドさせて外すことにより、成形体および笠竹を上桟から外すことができ、施工ミスの場合の再施工が可能となる。
【００１０】
（３）請求項３の発明は、請求項１または２に記載の合成樹脂製竹垣において、複数のパネルユニットが上下に重ねられた構造を有し、
下側のパネルユニットの上桟と上側のパネルユニットの下桟との結合用ブラケットに、前記笠竹取付用ブラケットを兼用した
ことを特徴とする。
【００１１】
請求項３の発明によれば、部品の兼用により、部品の種類を減少させることができる。
【００１２】
（４）請求項４の発明は、請求項１ないし３のいずれかに記載の合成樹脂製竹垣において、前記竹竿を並べた外観を有する合成樹脂製パネル本体を、横桟と縦桟により組まれた枠体に固定してパネルユニットを構成したフリーポール型の合成樹脂製竹垣とし、
前記竹垣端部を覆う断面形状が円弧状の端部カバーを備えると共に、
前記端部カバーに設けた係止手段を前記縦桟側に設けたブラケットに弾発的に係止させて前記端部カバーを前記縦桟に取り付けた
ことを特徴とする。
【００１３】
請求項４の発明によれば、端部カバーの取付けにおいて、前記請求項１ないし３のいずれかと同様の作用を発揮することができる。
【発明の実施の形態】
図１（Ａ）、（Ｂ）はそれぞれ本発明による合成樹脂製竹垣の一実施の形態をフリーポール型の竹垣について示す平面図、正面図である。図１において、１はアルミニウム合金製あるいは合成樹脂製押出形材からなる支柱であり、地中に施工されたコンクリート製基礎２に根本部が埋め込まれて立設される。
【００１４】
３ａ〜３ｄはパネルユニットであり、各パネルユニット３ａ〜３ｄは、図２に示すように、上桟４と下桟５と必要に応じて１本以上設ける中横桟６からなる横桟と、その両端にねじ結合する縦桟７（これらの桟４〜７はアルミニウム合金製または合成樹脂製押出形材からなる。）によって枠体を構成し、該枠体に、図３の平面図に示すように、半割りの縦向きの竹竿を横に並べた外観を有する合成樹脂製パネル本体８を、工場においてねじ９等によって固定するかあるいは接着することにより、一体化されたユニットとして構成されたものである。本例においては、支柱１の片側にのみパネルユニット３ａ〜３ｄを設けた例について示しているが、両側に取付ける場合もある。
【００１５】
各パネルユニット３ａ〜３ｄの上桟４以外の横桟５、６に取り付けられる押え竹１０は、パネル本体８の外面に、ねじによりそのねじの先端を横桟５、６にねじ込んで取付けられるが、この押え竹１０も予め工場において固定しておく。
【００１６】
図１（Ｂ）、図２に示すように、支柱１の下部には金属製あるいは合成樹脂製の下部ブラケット１２がねじにより取付けられる。そして、図面中、左側下部のパネルユニット（第１のパネルユニット）３ａの下桟５の左右はそれぞれ該下部ブラケット１２に嵌めて支持される。同様に、図面中、右側下部のパネルユニット（第３のパネルユニット）３ｃの下桟５の右側も最も右側の支柱１に取付けた下部ブラケット１２に取付けられる。
【００１７】
また、図２に示すように、第１のパネルユニット３ａの上桟４の左右端部近傍は、支柱１の側面に固定される中間ブラケット１５により、抱持されて固定され、第３のパネルユニット３ｃの上桟４の右側端部近傍も同様に最右端の支柱１に取付けられる中間ブラケット（図示せず）により固定される。
【００１８】
前記中間ブラケット１５には、上方に隣接するパネルユニット３ｂ（第２のパネルユニット）、３ｄ（第４のパネルユニット）の受部を有するもので、その受部に第２のパネルユニット３ｂ、第４のパネルユニット３ｄの下桟５を嵌め込んで支持させる。
【００１９】
第２のパネルユニット３ｂと第４のパネルユニット３ｄの上桟４は、支柱１の頂部にねじにより固定される上部ブラケット１７のＬ字状の延出部により把持されて固定される。
【００２０】
パネルユニット３ａ〜３ｄの左右に隣接するものどうしの結合は、図２に示すように、左右に隣接するパネルユニット３ａ、３ｃのうち、パネルユニット３ａの縦桟７、すなわち、パネルユニット３ａ、３ｃの突き合わせ部近傍において、横桟４、５が支柱１により支持される側のパネルユニット３ａの側面の縦桟７に受け金具２０をねじにより取付け、該受け金具２０に、他方のパネルユニット３ｃの対向する端部の縦桟７にねじにより掛け金具２３を取付け、掛け金具２３を受け金具２０に係止させることにより、該他方のパネルユニット３ｃの端部を一方のパネルユニット３ａに支持させる。
【００２１】
また、パネルユニット３ａ〜３ｄの結合には３ユニット接続用金具２５を用いる。該接続用金具２５は、まず、第１、第２のパネルユニット３ａ、３ｂを支柱１に取付けておき、第３、第４のパネルユニット３ｃ、３ｄの取付けの際に、第３のパネルユニット３ｃに該接続用金具２５の下部をねじにより固定しておき、該第３のパネルユニット３ｃの第１のパネルユニット３ａの反対側を支柱１の下部ブラケット１２に支持させておき、第１のパネルユニット３ａの受け金具２０に第３のパネルユニット３ｃの掛け金具２３を係止して支持させ、第１のパネルユニット３ａの縦桟７に設けた雄型（または雌型）嵌合部を、第３のパネルユニット３ｃの縦桟７に設けた雌型（または雄型）嵌合部に嵌合し、該接続用金具２５の中間部のねじ付け部を第２のパネルユニット３ｂの側面の縦桟７の下部にねじにより固定する。
【００２２】
その後、前記接続用金具２５の上部の受部に、第４のパネルユニット３ｄの端部の縦桟７の下部にねじにより固定した掛け金具２８を係止させることにより、第３、第４のパネルユニット３ｃ、３ｄの支柱に支持されない側の端部を第１、第２のパネルユニット３ａ、３ｂに結合して支持させる。第２、第４のパネルユニット３ｂ、３ｄの上桟４、４どうしは、頂部結合用ブラケット３３の両端のコ字形をなす部分を上桟４、４に嵌合し、ねじ３４によってブラケット３３を上桟４、４に固定することにより、第２、第４のパネルユニット３ｂ、３ｄの上部を結合する。
【００２３】
図１（Ｂ）に示すように、第２、第４のパネルユニット３ｂ、３ｃの上桟４の上面には断面形状が円弧状をなす笠竹３０が取り付けられる。図４（Ａ）は該笠竹３０を取り付けるためのブラケット４０の平面図、図４（Ｂ）は図４（Ａ）のＥ矢視図、図４（Ｃ）は図４（Ｂ）のＦ矢視図である。
【００２４】
また、図５（Ａ）は笠竹３０の側面図、図５（Ｂ）は笠竹３０内の係止手段を構成する成形体４１とその取り付け構造を笠竹３０の長手方向に見た図、図５（Ｃ）は図５（Ａ）の一部拡大図である。
【００２５】
図６は笠竹３０を上桟４に取り付けた状態を笠竹３０の長手方向に見た図である。
【００２６】
図４に示すように、笠竹取付用ブラケット４０は、その一端の両側に、上桟４に嵌合するための突片３８を下方に突出させて設け、かつ他端側板面に、取付用孔３９を貫通して設けている。また、ブラケット４０は、笠竹３０の係止手段である成形体４１を抱持するように嵌合する構造を有し、上端に成形体４１をガイドする傾斜したガイド片４２を有すると共に、成形体４１の側面に全長にわたって設けた係止溝４３の被係止手段となる傾斜した突片４４を互いに対向するように形成してなる。また、該ブラケット４０には、断面形状が円弧状をなす押え竹１０を取り付けるための取付片４５を側方に突出させて一体に有し、該取付片４５には、押え竹１０の取付ねじ４６をねじ込むねじ孔４７を設けている。
【００２７】
図５に示すように、成形体４１は笠竹３０よりはるかに短い長さを有し、笠竹３０の内面に複数個（本例では３個）取り付けられる。成形体４１の笠竹３０に対する取付は、ねじ４９により行われる。図５に示すように、ブラケット４０は、その突片３８、３８間で上桟４を挟んで嵌合し、かつねじ５０を孔３９に通して上桟４にねじ込むことにより、上桟４に取り付ける。ブラケット４０の取付位置は、笠竹３０の成形体４１に対応する箇所とする。
【００２８】
この竹垣は、工場において、パネルユニット３ａ〜３ｄを組んでおき、かつ、工場においてブラケット４０を上桟４にねじ５０により取り付けておき、さらに、笠竹３０に成形体４１をねじ４９により取り付けておき、建築現場においては、支柱１に対するパネルユニット３ａ〜３ｄの組付と、パネルユニット３ａ〜３ｄどうしの結合と、押え竹１０や笠竹３０の取付を行う。この場合、笠竹３０の取付は、支柱１にパネルユニット３ａ〜３ｄを取り付けた後、笠竹３０に取り付けられている成形体４１をブラケット４０に嵌合して被係止手段である突片４４に成形体４１の側面の係止溝４３を係止させることにより、ワンタッチで笠竹３０が取り付けられる。
【００２９】
押え竹１０の取付は、前記ブラケット４０の取付片４５のねじ孔４７に、押え竹１０に挿通したねじ４６をねじ込むことにより、位置規制のためのパイプ（スリーブ）なしで取り付けられる。
【００３０】
図７に示すように、本例においては、下側のパネルユニットの上桟４と上側のパネルユニットの下桟５との結合用ブラケットに、前記笠竹取付用ブラケット４１を兼用している。すなわち、ブラケット４０の上面の成形体嵌合用の開口幅を下桟５の幅とほぼ同じくすることにより、下側パネルユニット３ａ、３ｃの上桟４にねじ５０により取り付けたブラケット４０に、上側パネルユニット３ｂ、３ｄの下桟５を嵌合して取り付ける。また、該ブラケット４０の取付片４５を利用して、前記同様に、ねじ５２により、上下のパネルユニット３ａと３ｂ間、または３ｃと３ｄ間の隙間を塞ぐ押え竹１０を取り付ける。
【００３１】
なお、本例においては、図３に示すように、パネルユニットの端部に設ける端部カバー５３の取付も、前記笠竹３０と同様にワンタッチで行える構造としている。すなわち、前記ブラケット４０と同様の構造のブラケット４０Ａ（ただし該ブラケット４０Ａは押え竹１０の取付片４５を有していない。）を縦桟７にねじ５４により取り付け、工場で成形体４１をねじ４９により取り付けた断面形状が円弧状をなす端部カバー５３を、前記成形体４１をブラケット４０Ａに嵌めて係止させることによりワンタッチで取り付けることにより、取付を容易化している。
【００３２】
図８は、笠竹３０の両側に押え竹１０を取り付けた例であり、この場合には、ブラケット４０Ｂとして、図９（Ａ）〜（Ｃ）に示すように、両側に押え竹１０を取り付けるための取付片４５を設けたものを用いる。
【００３３】
本発明を実施する場合、ブラケット４０や成形体４１の代わりに、上桟４の上面にブラケット４０の形状とほぼ同じ形状の被係止部を一体に全長にわたって形成し、笠竹３０にも成形体４１の形状に類似した形状の係止部を一体に全長にわたって形成してもよいが、このような全長に係止部、被係止部を形成すると、一たん被係止部に係止部を係止させて笠竹３０を固定した後は笠竹を外すことが困難となる上、上桟４や笠竹３０の全長にわたって被係止部や係止部を形成すれば材料費や重量の上昇を招く。
【００３４】
一方、前記例のようにブラケット４０や成形体４１のねじ付け構造を採用すれば、ねじ４９を弛めて成形体４１から笠竹３０を外し、その後成形体４１をブラケット４０にそってスライドさせることにより、成形体４１を外すことができ、施工ミス時の再施工が容易となる上、ブラケット４０や成形体４１が短く形成できるため、材料費や重量が削減される。
【００３５】
以上の説明は、パネルユニットが上下１段または２段、左右に２枚の例について説明したが、本発明においては、このパネルユニットの取付け数はこの例に限定されないことはいうまでもない。また、本発明は、上記例のように、パネルユニット３ａ〜３ｄの背面に支柱１が位置するフリーポールタイプの竹垣のみならず、支柱間にパネルユニットを設ける間仕切りタイプのものにも適用できる。
【００３６】
【発明の効果】
請求項１の発明によれば、１段または複数段重ねられたパネルユニットの最上部の上桟に、笠竹取付け用のブラケットを設け、笠竹の内面に設けた係止手段を、前記ブラケットに弾発的に嵌合し係止して笠竹を前記上桟に取り付けたので、現場において、笠竹を上桟に押しつけるたけで笠竹の取り付けが可能となり、作業性が向上し、労力少なく迅速に笠竹の取付が可能となる。
【００３７】
また、前記笠竹と前記パネル本体との間を閉塞する押え竹を有し、該押え竹を取り付ける取付片を、前記ブラケットに一体に形成したので、笠竹取付用ブラケットを押え竹の取り付けにも用いることができる。このため、部品点数が削減され、部品管理が簡単となり、製作費が削減できる。また、押え竹を取り付ける場合、ねじにパイプを嵌めてそのパイプによりねじ込み深さを規制してねじ込む場合に比較し、パイプを手に持ってねじ込む必要がなくなり、押え竹の取付も容易となる。
【００３８】
請求項２の発明によれば、前記笠竹に設けた係止手段を、上桟より短い合成樹脂製成形体により構成すると共に、前記ブラケットに設けた突片に係止させる係止溝を前記成形体の側面に横方向に成形体の全長にわたって形成し、該成形体を笠竹にねじにより着脱自在に取り付けたので、ねじを弛めて笠竹を成形体から外した後、成形体をブラケットに対してスライドさせて外すことにより、成形体および笠竹を上桟から外すことができ、施工ミスの場合の再施工が可能となる。また、材料費と重量が削減できる。
【００３９】
請求項３の発明によれば、複数のパネルユニットが上下に重ねられた構造を有し、下側のパネルユニットの上桟と上側のパネルユニットの下桟との結合用ブラケットに、前記笠竹取付用ブラケットを兼用したので、部品の兼用により、部品の種類を減少させることができ、部品管理が簡単となり、製作費が削減できる。
【００４０】
請求項４の発明によれば、端部カバーの取付において、端部カバーを縦桟に設けたブラケットに押しつけるたけで端部カバーの取り付けが可能となり、作業性が向上し、労力少なく迅速に笠竹の取付が可能となる。
【図面の簡単な説明】
【図１】  （Ａ）、（Ｂ）はそれぞれ本発明の合成樹脂製竹垣の一実施の形態を示す平面図、正面図である。
【図２】  本実施の形態のパネルユニットの取付構造を、パネル本体の図示を省略して示す正面図である。
【図３】  本実施の形態の竹垣の平面図である。
【図４】  （Ａ）は本実施の形態において、笠竹を取り付けるためのブラケットの平面図、（Ｂ）は（Ａ）のＥ矢視図、（Ｃ）は（Ｂ）のＦ矢視図である。
【図５】  （Ａ）は本実施の形態における笠竹の側面図、（Ｂ）は笠竹内の係止手段を構成する成形体とその取り付け構造を笠竹の長手方向に見た図、（Ｃ）は図５（Ａ）の一部拡大図である。
【図６】  本実施の形態において、笠竹を上桟に取り付けた状態を笠竹の長手方向に見た図である。
【図７】  本実施の形態において、上下のパネルユニット間の結合構造を横桟の長手方向に見た図である。
【図８】  本発明において、笠竹を上桟に取り付ける構造の他の例を笠竹の長手方向に見た図である。
【図９】  （Ａ）は図８の実施の形態において、笠竹を取り付けるためのブラケットの平面図、（Ｂ）は（Ａ）のＧ矢視図、（Ｃ）は（Ｂ）のＨ矢視図である。
【符号の説明】
１：支柱、２：コンクリート基礎、３ａ〜３ｄ：パネルユニット、４：上桟、５：下桟、６：中横桟、７：縦桟、８：パネル本体、１０：押え竹、１２：下部ブラケット、１５：中間ブラケット、１７：上部ブラケット、２０：受け金具、２３：掛け金具、２５：３ユニット接続用金具、３０：笠竹、３３：頂部結合用ブラケット、４０、４０Ａ、４０Ｂ：ブラケット、４１：成形体、４２：ガイド片、４３：係止溝、４４：突片、４５：取付片、４６：ねじ、４７：ねじ孔、４９、５０、５２、５４：ねじ、５３：端部カバー
【図１】
0003925824.tif 000002
【図２】
0003925824.tif 000003
【図３】
0003925824.tif 000004
【図４】
0003925824.tif 000005
【図５】
0003925824.tif 000006
【図６】
0003925824.tif 000007
【図７】
0003925824.tif 000008
【図８】
0003925824.tif 000009
【図９】
0003925824.tif 000010